(57)【特許請求の範囲】
【請求項１】
使用済みのビン、缶、プラスチックボトル等の廃棄容器が収納されたゴミ袋等の袋体を破袋して、前記廃棄容器から袋体を分離、除去するよう構成された破袋・除袋装置であって、袋体を破袋する複数の破袋刃が外周に沿って取り付けられた２個のロータを最近接位置が前記容器外径より小なる空隙をもって配設し、該両ロータの回転方向を前記最近接位置よりロータ外周面が互いに上方に向かって離れる方向とした破袋・除袋装置において、
前記両ロータに挟まれる容器移動空間におけるロータ軸線方向複数ヶ所のそれぞれに、金属製の揺動自在のリンクまたは環状体、若しくはそれらの複合体を複数、袋体移動制御部材として吊支し、更に前記リンクまたは環状体、若しくはそれらの複合体を、ロータ軸線方向と直角方向にＶ字状に交差させて吊支したことを特徴とする破袋・除袋装置。
【請求項２】
使用済みのビン、缶、プラスチックボトル等の廃棄容器が収納されたゴミ袋等の袋体を破袋して、前記廃棄容器から袋体を分離、除去するよう構成された破袋・除袋装置であって、袋体を破袋する複数の破袋刃が外周に沿って取り付けられた２個のロータを最近接位置が前記容器外径より小なる空隙をもって配設し、該両ロータの回転方向を前記最近接位置よりロータ外周面が互いに上方に向かって離れる方向とした破袋・除袋装置において、
前記両ロータに挟まれる容器移動空間におけるロータ軸線方向複数ヶ所のそれぞれに、金属製の揺動自在のリンクまたは環状体、若しくはそれらの複合体を複数、袋体移動制御部材として吊支し、更に前記リンクまたは環状体、若しくはそれらの複合体に錘を設け、複数ヶ所に設けたそれぞれの袋体移動制御部材の質的な単位密度重量を異ならせたことを特徴とする破袋・除袋装置。
【請求項３】
使用済みのビン、缶、プラスチックボトル等の廃棄容器が収納されたゴミ袋等の袋体を破袋して、前記廃棄容器から袋体を分離、除去するよう構成された破袋・除袋装置であって、袋体を破袋する複数の破袋刃が外周に沿って取り付けられた２個のロータを最近接位置が前記容器外径より小なる空隙をもって配設し、該両ロータの回転方向を前記最近接位置よりロータ外周面が互いに上方に向かって離れる方向とすると共に、該両ロータの外周面の軸芯より上方位置に、前記廃棄容器と前記袋体を分離し、廃棄容器をロータ周面間の最近接位置側に戻す空隙を形成する容器移動阻止部材を設けてなる破袋・除袋装置において、
前記両ロータに挟まれる容器移動空間におけるロータ軸線方向の複数ヶ所のそれぞれに、金属製の揺動自在のリンクまたは環状体、若しくはそれらの複合体を複数、袋体移動制御部材として吊支すると共に、前記容器移動阻止部材上部に、当接した袋体の移動を停止させる突起を設けたことを特徴とする破袋・除袋装置。
【請求項４】
各袋体移動制御部材としての金属製の揺動自在のリンクまたは環状体、若しくはそれらの複合体を、ロータ軸線方向と直角方向にＶ字状に交差させて吊支したことを特徴とする請求項３に記載した破袋・除袋装置。
【請求項５】
各袋体移動制御部材としての金属製の揺動自在のリンクまたは環状体、若しくはそれらの複合体を、交差部で固縛したことを特徴とする請求項４に記載した破袋・除袋装置。
【請求項６】
各袋体移動制御部材としての金属製の揺動自在のリンクまたは環状体、若しくはそれらの複合体に錘を設け、複数ヶ所に設けたそれぞれの袋体移動制御部材の質的な単位密度重量を異ならせたことを特徴とする請求項３に記載した破袋・除袋装置。
【請求項７】
前記突起を、破袋刃としたことを特徴とする請求項３に記載した破袋・除袋装置。
【発明の詳細な説明】
【０００１】
【発明の属する技術分野】
本発明は、使用済みのビン、缶、プラスチックボトル等の廃棄容器が収納されたゴミ袋等の袋体を破袋刃により破袋して、前記廃棄容器から袋体を分離し、該袋体のみを外部に除去するように構成された破袋・除袋装置に関する。
【０００２】
ごみ処理設備においては、ゴミ袋等の比較的大きな破袋強度を有する袋体内にビン、缶、プラスチックボトル等の廃棄容器が入った廃棄物から廃棄容器と袋体とを分離し、該廃棄容器をリサイクルするとともに、該袋体を外部に除去するようにした破袋装置が、処理設備の一つとして設置されている。
【０００３】
かかる破袋装置に関する従来技術としては、特許文献１乃至３等の発明がある。すなわち特許文献１においては、移動部に沿って配列された複数の爪を有する無端コンベアを、その上側の移動部の移動方向先が高位に位置するように配設するとともに、爪が通過可能なスリットを有するプレートを前記無端コンベアの上側の移動部に沿って該無端コンベアの上方に配設する一方、一端部がプレートに接し若しくは近接し、他端部がプレート外方に位置する堰止板を設け、該堰止板には爪が通過可能なスリットを設け、該爪を、弾性部材を有して、その爪先部にかかる抵抗に応じて移動方向と反対側に揺動可能若しくは起倒可能に構成されている。
【０００４】
また、特許文献２の発明においては、ケーシングの上部にごみの投入口を、下部にロータを、その下にビン等の排出口と、エアーの吹出口と、破袋したごみ袋の排出口を、排出口の回転方向後方に櫛歯状の邪魔板を設け、前記ロータは、放射状に延びる連結板と、該連結板端部に軸方向に一定間隔で固着される環状板と、周方向に一定間隔で前記環状板に突設される逆Ｖ字状の刃物を設け、ケーシングに設けたヒータ及び刃物と共にごみ袋を溶融し、引き裂いて破袋する。これにより、ごみ袋の中に入ったビン等は排出口より、破袋したごみ袋は別の排出口より排出され、刃物に付着したごみ袋は邪魔板の溝縁で擦り取られ除去される。
【０００５】
更に特許文献３においては、搬送面に多数の刃板および／または集袋板を立設したエンドレスコンベアと、該エンドレスコンベアを収容する機枠の入側に設けたごみ袋を投入するホッパーと、エンドレスコンベアの出口に設けた破袋後の内容物の排出シュートと、前記ホッパーからエンドレスコンベアの出口までの区間の複数位置に配列したコンベア上方の支持部材に吊支した個々に元位置への復元力を有する多数のキャッチャーとからなり、エンドレスコンベアにより搬送されるごみ袋の進行を前記キャッチャーにより妨げて刃板および／または集袋板により破袋し、かつ、ごみ袋がキャッチャーを撓ませて通過時にキャッチャー先端をごみ袋に突き刺して捕捉しつつ刃板および／または集袋板の進行力で袋を引きちぎり、あるいはキャッチャー先端で引っ掛け破ると共に、エンドレスコンベアを離脱する際の慣性力によって内容物を前記排出シュートへ、刃板および／または集袋板にからまって集袋された袋片を前記エンドレスコンベア下部へ導入するものである。
【０００６】
しかしながらこれら特許文献１及び３で開示された装置は、移動部に沿って複数の爪が配列された無端コンベアを設けた構造であるため、装置の長さが長くなって装置が大型化し、装置コストも高くなる。また、ビンが入った袋が爪に架けられて無端コンベアの斜面を上がる際に、袋が爪から外れて無端コンベアの下方に落下して、内部のビンが割れ、回収が不能になるという事態の発生をみる。
【０００７】
また、かかる従来技術にあっては、ビンが入った袋を長尺の無端コンベアに沿って該コンベアの上端部まで運び、該上端部に対応して設けられた堰止板にて破袋しビンを落下させるようになっているため、ビン同士の衝突音や、ビンがコンベアの面や爪に衝突しながら落下する際の衝突音等により騒音が大きい。さらには、長尺の無端コンベアを斜め上方に延設しているため、コンベアの張力調整を随時行うことを要し、またコンベアの洗浄には手間がかかり、整備性が良好でない、等の問題点を有している。
【０００８】
また特許文献２の発明においては、１つのロータの回転に従い、該ロータの外周に円周方向に沿って取り付けられた逆Ｖ字状の刃物とヒータとによってビンが入った袋を溶融、破袋し、刃物に付着した袋を邪魔板の溝縁で擦り取って除去するようになっているため、袋が刃物によって穿孔、引き裂き作用を受ける期間が短く、ヒータとによる袋の溶融作用が付加されても袋とビンとの分離が充分になされず、ビン側に袋の残骸が付着し、ビンの回収作用が充分になされないという問題点がある。
【０００９】
そのため本願出願人は特許文献４において、使用済みのビン等の廃棄容器が収納された袋体を破袋するため、図８に正面図を示したように、互いに逆方向に回転せしめられて袋体を破袋する複数の破袋刃４が外周に沿って取り付けられた２個のロータ１ａ、１ｂを、該両ロータの回転軸心７ａ、７ｂが平行になるようにすると共に両ロータ１ａ、１ｂにおける周面間の最近接位置が前記廃棄容器１０の外径より小なる空隙をもって配設し、該両ロータ１ａ、１ｂの回転方向を前記最近接位置よりロータ１ａ、１ｂの外周面が互いに離れる方向に上方に向かって形成するとともに、該両ロータの外周面の軸芯より上方位置に、前記廃棄容器１０と前記袋体を分離し、廃棄容器１０をロータ１ａ、１ｂの周面間の最近接位置側に戻す容器移動阻止空隙を形成する容器移動阻止部材５を設け、さらに未破袋袋が排出されるのを防止するため、板状部材の未破袋容器排出制御板８０をロータ軸線７ａ、７ｂ方向に設置してなり、装置を小型コンパクト化し、ヒータ等の格別な袋体の溶融手段を不要としてビン等の廃棄容器と袋体との分離を効率的かつ確実に行うことができるとともに、騒音が低減され、さらには整備性が向上された破袋・除袋装置を提供してきた。
【００１０】
すなわちこの図８における未破袋容器排出制御板８０は、袋体の移動空間１４の前記ロータ１ａ及び１ｂのロータ両周面に近接し、下側を略三角形状に徐々に狭幅に形成した板状部材で形成され、該板状部材の上部両端をロータ軸に直交する支軸８０ａで釣り下げることによりロータ軸方向（図８の紙面に垂直な方向）に振り子状に揺動可能に構成するとともに、該板状部材の下方に重錘９０を設け、前記未破袋容器の押圧により拡開するのを抑制する抑制手段として機能させている。この結果、未破袋容器の押圧により拡開するのを抑制する事が出来るとともに、前記ビン１０から分離した袋体のロータ１ａ及び１ｂ側部側への排出を阻止している。
【００１１】
【特許文献１】
特開平２０００−７９３４９号
【特許文献２】
特開平１０−５６１４号
【特許文献３】
特開平１０−２３０１８４号
【特許文献４】
特開２００２−６６３７１号公報
【００１２】
【発明が解決しようとする課題】
しかしながら、この特許文献４に示された装置においては、未破袋袋の排出防止のために板状部材の容器排出制御部材８０をロータ軸線７ａ、７ｂ方向に設置しているが、この容器排出制御部材付近まで行って始めて破袋される袋が多く、破袋機入り口と中間部の破袋刃が有効に活用されていないと共に、完全に破袋されなかった袋が流れ出てしまうことがある。また、装置の傾斜をきつくした場合、容器排出制御部材８０自体も傾斜するため、排出制御効果が薄れてしまう。またこの容器排出制御部材８０は板状であるため、端部を未破袋袋に押されると容器排出制御部材８０全体が動いてしまい、ロータとの間に隙間ができ、そこから他の未破袋袋が排出されてしまうことがあった。
【００１３】
また特許文献４に示された装置においては、ロータに取り付けた破袋刃によって袋が容器移動阻止部材（掻き落とし板）５まで持ち上げられ、このとき内容物の重量が軽い場合、袋がロータ頂部と掻き落とし板５を支えにして回転してしまい、袋がなかなか破袋されないということや、破袋されずに掻き落とし板に乗るように排出側へ移動し、排出されてしまうということがあった。
【００１４】
そのため本発明では、特許文献４に記載された破袋機において、破袋機を構成するロータの入り口付近から出口付近まで、全面にわたって効率よく破袋が行われるようにすると共に、容器移動阻止部材まで持ち上げられた袋も確実に破袋できるような機構を有した破袋機を提供することが課題である。
【００１５】
【課題を解決するための手段】
上記課題を解決するため請求項１に記載した発明は、
使用済みのビン、缶、プラスチックボトル等の廃棄容器が収納されたゴミ袋等の袋体を破袋して、前記廃棄容器から袋体を分離、除去するよう構成された破袋・除袋装置であって、袋体を破袋する複数の破袋刃が外周に沿って取り付けられた２個のロータを最近接位置が前記容器外径より小なる空隙をもって配設し、該両ロータの回転方向を前記最近接位置よりロータ外周面が互いに上方に向かって離れる方向とした破袋・除袋装置において、
前記両ロータに挟まれる容器移動空間におけるロータ軸線方向複数ヶ所のそれぞれに、金属製の揺動自在のリンクまたは環状体、若しくはそれらの複合体を複数、袋体移動制御部材として吊支したことを第１の要旨とし、第２の要旨は更に前記リンクまたは環状体、若しくはそれらの複合体を、ロータ軸線方向と直角方向にＶ字状に交差させて吊支したことを特徴とする。
又請求項２記載の発明は前記第１の要旨に加えて前記リンクまたは環状体、若しくはそれらの複合体に錘を設け、複数ヶ所に設けたそれぞれの袋体移動制御部材の質的な単位密度重量を異ならせたことを特徴とする。
【００１６】
このように袋体移動制御部材として金属製の揺動自在のリンクまたは環状体、若しくはそれらの複合体を用い、かつ、この袋体移動制御部材をロータ軸線方向複数ヶ所に設けることにより、袋体移動制御部材を設けた位置で廃棄容器を収納した袋体が堰き止められて破袋刃による破袋が行われるから、装置の複数ヶ所で未破袋袋の堰き止めと破袋がおこなわれ、未破袋袋が排出されることが無くなると共に、装置の全ての破袋刃が使われて効率的な破袋が行われるようになる。また装置の傾斜をきつくしても、装置の複数ヶ所に袋体移動制御部材があるため未破袋袋は出口近辺に至るまでに破袋され、排出抑止効果の減少がほとんど無くなる。またこの袋体移動制御部材は、金属製の揺動自在のリンクまたは環状体、若しくはそれらの複合体で構成されているから、袋体に押された部分の金属製の揺動自在のリンクまたは環状体、若しくはそれらの複合体が動くのみであり、従来の板状の容器排出制御部材にみられた袋体による端部の押圧で全体が動き、ロータとの間に隙間ができて他の未破袋袋が排出されてしまうといったことも防止される。また、金属製の揺動自在のリンクまたは環状体、若しくはそれらの複合体の長さを調整することで、未破袋の袋は堰き止めるが、破袋されて出てきた廃棄容器の排出は抑制しないようにできるため、能力の低下をさせることなく破袋率を上げることが容易にでき、さらに金属製の揺動自在のリンクまたは環状体、若しくはそれらの複合体を取り付ける位置、本数、並びに長さを変更することにより、排出抑制効果を容易に、いかようにも調整可能となる。
【００１７】
そして請求項３に記載した発明は、
使用済みのビン、缶、プラスチックボトル等の廃棄容器が収納されたゴミ袋等の袋体を破袋して、前記廃棄容器から袋体を分離、除去するよう構成された破袋・除袋装置であって、袋体を破袋する複数の破袋刃が外周に沿って取り付けられた２個のロータを最近接位置が前記容器外径より小なる空隙をもって配設し、該両ロータの回転方向を前記最近接位置よりロータ外周面が互いに上方に向かって離れる方向とすると共に、該両ロータの外周面の軸芯より上方位置に、前記廃棄容器と前記袋体を分離し、廃棄容器をロータ周面間の最近接位置側に戻す空隙を形成する容器移動阻止部材を設けてなる破袋・除袋装置において、
前記両ロータに挟まれる容器移動空間におけるロータ軸線方向の複数ヶ所のそれぞれに、金属製の揺動自在のリンクまたは環状体、若しくはそれらの複合体を複数、袋体移動制御部材として吊支すると共に、前記容器移動阻止部材上部に、当接した袋体の移動を停止させる突起を設けたことを特徴とする。
【００１８】
このように破袋・除袋装置を構成することにより、前記した金属製の揺動自在のリンクまたは環状体、若しくはそれらの複合体で構成した袋体移動制御部材による効果に加え、ロータに取り付けた破袋刃によって袋が容器移動阻止部材（掻き落とし板）まで持ち上げられて回転した場合でも、突起によって袋体の移動が停止され、そのためロータに設けられた破袋刃によって袋が破袋されると共に、破袋されずに容器移動阻止部材に乗るように排出側へ移動して排出されてしまうということがなくなる。
【００１９】
そして請求項４に記載した発明は、前記請求項３に加えて、
各袋体移動制御部材としての金属製の揺動自在のリンクまたは環状体、若しくはそれらの複合体を、ロータ軸線方向と直角方向にＶ字状に交差させて吊支したことを特徴とする。
【００２０】
このようにすることにより、袋体移動制御部材としての金属製の揺動自在のリンクまたは環状体、若しくはそれらの複合体の一部が袋体に押されても、交差した金属製の揺動自在のリンクまたは環状体、若しくはそれらの複合体によって複数の金属製の揺動自在のリンクまたは環状体、若しくはそれらの複合体がこの袋体を押し戻し、袋体の移動制御がより確実に行えるようになる。
【００２１】
そして請求項５に記載した発明は、前記請求項４に加えて、
各袋体移動制御部材としての金属製の揺動自在のリンクまたは環状体、若しくはそれらの複合体を、交差部で固縛したことを特徴とする。
【００２２】
このようにすることにより、袋体により袋体移動制御部材が押されても、交差した金属製の揺動自在のリンクまたは環状体、若しくはそれらの複合体がさらに交差部で固縛されているから、複数の金属製の揺動自在のリンクまたは環状体、若しくはそれらの複合体がこの袋体を押し戻し、袋体の移動制御がより確実に行えるようになる。
【００２３】
そして請求項６に記載した発明は、前記請求項３に加えて、
各袋体移動制御部材としての金属製の揺動自在のリンクまたは環状体、若しくはそれらの複合体に錘を設け、複数ヶ所に設けたそれぞれの袋体移動制御部材の質的な単位密度重量を異ならせたことを特徴とする。
【００２４】
このようにすることにより、袋体により金属製の揺動自在のリンクまたは環状体、若しくはそれらの複合体が押されても錘によって袋体が押し戻され、また、例えばロータの入り口付近では、次々に投入される袋が押されて破袋されずに流れてゆかないよう錘を重く調整し、中間では大きな袋から出てきた小さな袋が金属製の揺動自在のリンクまたは環状体、若しくはそれらの複合体の間をすり抜けてゆかないよう金属製の揺動自在のリンクまたは環状体、若しくはそれらの複合体間隔を調整するなど、袋の入り口から出口のそれぞれの位置に応じた質的な単位密度重量を調整することで、最適な袋体移動制御を行うことができる。
【００２５】
そして請求項７に記載した発明は、前記請求項３に加えて、
前記突起を、破袋刃としたことを特徴とする。
【００２６】
このように突起を破袋刃で構成することにより、ロータに取り付けた破袋刃によって袋が容器移動阻止部材（掻き落とし板）まで持ち上げられて回転した場合でも、容器移動阻止部材の破袋刃で袋体が破袋され、ロータに設けられた破袋刃による破袋と共働して袋体を確実に破袋することができ、袋袋が破袋されずに掻き落とし板に乗るように排出側へ移動して排出されてしまうということがなくなる。
【００２７】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００２８】
図１は本発明の実施例に係る破袋・除袋装置の正面図、図２は本発明の実施例に係る破袋・除袋装置の側面図、図３は本発明の破袋・除袋装置における袋体移動制御部材の効果を説明するための図、図４、図５は本発明の破袋・除袋装置における容器移動阻止部材の効果を説明するための図、図６は袋体移動制御部材を構成する金属製の揺動自在のリンクまたは環状体、若しくはそれらの複合体の配列方法の具体例、図７は本発明の実施例に係る破袋・除袋装置における袋体移動制御部材を除いた主要部の構成を説明するための全体斜視図である。
【００２９】
図１、図２及び図７において、１ａ及び１ｂは円筒状に形成された１対のロータで、回転軸心７ａ及び７ｂが平行になるように配設され、モータ（図示省略）により互いに逆方向に回転せしめられる回転軸２ａ及び２ｂに固着されている。前記１対のロータ１ａ及び１ｂは、図２の側面図から明らかなように、その回転軸心７ａ及び７ｂが水平線に対して傾斜角α＝５°〜１０°程度、長手方向において一方向、つまり袋体１１を分離した後のビン１０の出口側が下方になるように傾斜せしめられている。５０は前記傾斜角αを調整するための傾斜角調整装置で、図示しない操作手段により、前記回転軸２ａ、２ｂ、及びロータ１ａ、１ｂの回転軸心７ａ、７ｂを上下方向に移動せしめて該ロータ１ａ、１ｂの傾斜角αを変化せしめるようになっている。１４（図１）は前記１対のロータ１ａ、１ｂ間の上部に形成された袋体１１の移動空間で、ロータ１ａ及び１ｂの傾斜配置により、高位側となっている該移動空間１４の上部側に前記袋体１１が供給されるようになっている。１０は該袋体１１内から出された状態にあるビンを示す。
【００３０】
前記各ロータ１ａ及び１ｂの外周面には、図７に示されるように、該ロータ１ａ及び１ｂの円周方向に等間隔に、かつ軸方向にも列をなして等間隔に破袋刃４が固定されている（必ずしも円周方向あるいは軸方向に等間隔でなくても千鳥状若しくは段差状に形成してもよい）。この破袋刃４は、前記各ロータ１ａ及び１ｂの回転により前記袋体１１に穿孔し、破裂せしめる刃先を有する縦刃４１と横刃４２とで構成されている。また、前記各ロータ１ａ及び１ｂの外周面における前記破袋刃４が取り付けられた間の部位には、前記ビン１０が入った袋体１１との衝突を緩和するとともに、袋体１１を滑り易くするための外装材７（フッ素ゴムやプラスチック樹脂、摺動性の良好な布、フッ素樹脂テープ等が好適）が貼設されている。５は前記各ロータ１ａ及び１ｂの外周上部に設けられた容器移動阻止板で、前記移動空間１４に対し、前記各ロータ１ａ及び１ｂの回転方向Ｎにおける出口側部位に、各ロータ１ａ及び１ｂの外周面と所定量の隙間１３を存して設けられている。該隙間１３は、前記ビン１０の口径（通常２５ｍｍ程度）よりもある程度小さく形成され、ビン１０の口部が該隙間内に入り込まず、かつビン１０を分離した前記袋体１１が通過可能となるような寸法に形成されている。またこの容器移動阻止板５には、ロータ１ａ、１ｂに取り付けた破袋刃４によって袋体が容器移動阻止板５（掻き落とし板）まで持ち上げられてきたとき、その袋体の移動や回転を停止させると共に、袋体１１を破袋するための破袋刃４と同様に構成した突起６が設けられている。なおこの突起６は、袋体の移動や回転を停止させると共に袋体が回転したときに破袋できるものであれば、針やピン、または釘様のものなどでもよい。
【００３１】
また図１に示すように、前記袋体の移動空間１４には、装置の上部に設けられた枠体３から互いに交差し、錘９によってＶ字状となるよう吊支されたチェーンなどの複数の金属製の揺動自在のリンクまたは環状体、若しくはそれらの複合体８（以下この金属製の揺動自在のリンクまたは環状体、若しくはそれらの複合体をチェーンと略称する）によって袋体移動制御部材が形成され、この袋体移動制御部材が図２に８ａ乃至８ｄとして示したようにロータ１ａ、１ｂの軸線方向の複数ヶ所に設けられている。そしてこの袋体移動制御部材はその設置位置により、例えばロータ１ａ、１ｂの入り口付近では、次々に投入される袋が押されて破袋されずに流れてゆかないよう錘を重く調整し、中間では大きな袋から出てきた小さな袋がチェーンの間をすり抜けてゆかないようチェーン間隔を調整するなど、袋の入り口から出口のそれぞれの位置に応じた質的な単位密度重量を調整し、最適な袋体移動制御を行うようにしてある。また、小さな重量のある袋体１１がチェーン８の錘９を押しのけて通りすぎるのを防ぐため、互いのチェーン８が交差する部位１２で固縛するなどの方法を取り、袋体１１により一部のチェーン８が押されても、複数のチェーンが共働してこの袋体１１を押し戻し、袋体１１の移動制御をより確実に行えるようにしてある。そのため図７で右側（図２では左側）になる傾斜方向上端側に投入された袋体は、この移動制御部材８が設置された位置で堰き止められ、ロータ１ａ、１ｂに設けられた破袋刃４で破袋されて、破袋されずに傾斜方向下端側に流れてゆくのが防止される。なお図７においては、本発明の実施例に係る破袋・除袋装置におけるロータ１ａ、１ｂなどの主要部の構成を説明するため、この袋体移動制御部材を省いて示し、また図２においては、袋体移動制御部材を構成するチェーン８を明確に示すため、図上手前側容器移動阻止板５を省略している。５１は、前記両ロータの外周面上方位置に設けた容器移動阻止部材５よりロータ回転方向下流側に、前記両ロータの回転方向に沿う順方向、より具体的には接線方向に空気を噴出して前記袋体の破袋刃４よりの分離を行う空気噴出手段（空気ノズル）で、前記両ロータ１ａ及び１ｂの外周面上に突設する破袋刃４に絡まった袋体１１に向けて空気を噴出し、前記両ロータ１ａ及び１ｂが次の破袋動作にうつる前に、言い換えれば両ロータ１ａ及び１ｂに絡まった袋体１１が最近接位置に復帰する前に、ビン１０から分離した切り欠き状の袋体１１を除去するものである。
【００３２】
かかる構成からなる破袋・除袋装置において、内部にビン１０が入った袋体１１は、前記両ロータ１ａ及び１ｂの軸線上流方向（図２では左側、図７では右側）から前記移動空間１４の上部側に供給され、該移動空間１４において、互いに逆方向に回転せしめられる１対のロータ１ａ及び１ｂの外周に接触しながら、該ロータ１ａ及び１ｂの回転により外側、即ち前記容器移動阻止部材５の隙間１３側に向かって移動せしめられる。この際において、前記ロータ１ａ及び１ｂの回転により、該ロータ１ａ及び１ｂの外周面から半径方向に突設された前記破袋刃４の縦刃４１の刃先が、袋体１１に円周方向に食い込んで該袋体１１に穿孔し、この孔を起点として円周方向に引き裂き、内部のビン１０が移動空間１４側に戻される。そして、前記ロータ１ａ及び１ｂの回転により該袋体１１が前記容器移動阻止部材５の隙間１３に移動せしめられると、前記横刃４２の上方に向けて尖った刃先を有する複数の刃が、前記容器移動阻止部材５の下端縁との共働により前記ビン１０を分離して、袋体１１が前記隙間１３を通過可能となるように小さく切り刻む。
【００３３】
そして本発明においては、次々と投入される袋体１１により先に投入された袋体１１が破袋されずに移動してゆくのを防ぐため、前記図１、図２に示したように、袋体の移動空間１４に装置の上部に設けられた枠体３から互いに交差し、錘９によってＶ字状となる複数のチェーン８からなる袋体移動制御部材を、一例として図２に８ａ〜８ｄとして示したように、ロータ１ａ、１ｂの軸線方向の複数ヶ所に設けてある。そのためロータ１ａ、１ｂの軸線方向上流から投入された袋体は、まず移動制御部材８ａが設置された位置で図３（Ａ）のように堰き止められ、ロータ１ａ、１ｂに設けられた破袋刃４で破袋され、内部に収容されていたビン１０などは図３（Ｂ）に示したように移動空間１４側に戻される。また、次々と投入される袋体１１によりこの８ａの袋体移動制御部材を通り抜けた袋体１１があったとしても、次に設けられた袋体移動制御部材８ｂ、８ｃ、８ｄの位置で破袋される可能性が大きく、袋体１１が破袋されずに傾斜方向下端側に流れてゆくのが防止される。また装置の傾斜をきつくしても、装置の複数ヶ所に袋体移動制御部材があるため未破袋袋は出口近辺に至るまでに破袋され、排出抑止効果減少はほとんど無くなる。また、袋体移動制御部材のチェーン８を交差させると共に固縛部１２で互いに固縛しているから、袋体１１に押された部分のチェーン８は揺動するが袋体１１から離れたチェーン８は揺動せず、従来の板状の容器排出制御部材にみられた袋体１１による端部の押圧で全体が動き、ロータ１との間に隙間ができて他の未破袋袋１１が排出されてしまうといったことも防止される。
【００３４】
また袋体１１が、ロータ１に取り付けた破袋刃４によって図４（Ａ）のように容器移動阻止部材（掻き落とし板）５まで持ち上げられた場合、内容物の重量が軽いとロータ１の頂部と容器移動阻止板５を支えにして回転しようとするが、容器移動阻止板５に設けられた突起６により袋体１１の回転が止められ、さらに回転しようとした場合は図４（Ｂ）のように突起６により、また回転が止められた場合はロータ１に設けられた破袋刃４により袋体１１の破袋が確実に行われる。そのため、袋体１１が破袋されずに容器移動阻止板５に乗るように排出側へ移動し、排出されてしまうということが防止される。また、それにもかかわらず図５（Ａ）のように、容器移動阻止板５まで持ち上げられた袋体１１が突起６で破袋されず、容器移動阻止板５に乗るように排出側へ移動した場合、図５（Ｂ）のように袋体移動制御部材を構成するチェーン８により堰き止められるから、排出が防止されると共に突起６、または破袋刃４によって確実に破袋が行われる。
【００３５】
そして、このようにして袋体１１から内部のビン１０などの廃棄容器が移動空間１４側に戻されるわけであるが、前記各ロータ１ａ、１ｂの外周面には前記外装材７が貼設されているため、該外装材７の緩衝作用によりビン１０とロータ１ａ、１ｂの表面との衝突が緩和され、前記衝突によるビン１０の割れの発生が回避されるとともに、該外装材７の表面が滑り易くなっているため、該表面に袋体１１が接着するのが防止され、滑らかな排出がなされる。また、ビン１０が分離された袋体１１は、前記ロータ１ａ、１ｂと容器移動阻止部材５との隙間１３を通して前記ロータ１ａ、１ｂ回転方向下流側に導かれ、そして空気ノズル５１よりの空気噴出流５２によって、破袋刃４に狭着していた切り裂き袋体１１は、前記前記ロータ１ａ、１ｂに残留させることなく、空気力により外部に確実に排出せしめることができる。
【００３６】
図６は、図２のロータ１ａ、１ｂの軸線方向の複数ヶ所に８ａ〜８ｄとして設けた袋体移動制御部材を構成するチェーン８の質的な単位密度重量を異ならせた構成方法の一具体例であり、図６（Ａ）は、図２における８ａの位置に、図６（Ｂ）は同じく８ｂの位置に、図６（Ｃ）は同じく８ｃの位置に、図６（Ｄ）は同じく８ｄの位置に対応している。まず図６（Ａ）に示した８ａの位置のチェーンは、例えば長さが１．０〜２．０ｍ程度の６１〜６４の４〜５本のチェーンで構成され、錘９を含めた全重量が例えば２．５〜４．５ｋ程度とする。この８ａの位置は、大袋が最初に破砕されるポイントで小袋が出始める位置であり、袋体１１が次々と投入されることで前に投入された袋体１１が押され、破袋されないうちに流されないよう移動空間１４の全幅を押さえ、両側の容器移動阻止板５へ袋体１１を押し出すように中央に錘９を取り付けると共に両端は流れを止めすぎないよう多少空け気味にしてある。
【００３７】
次の図６（Ｂ）に示した８ｂの位置のチェーンは、例えば長さが１．３〜２．０ｍ程度の６５〜７０の７〜１０本のチェーンで構成され、錘９を含めた全重量が例えば６．０〜７．５ｋ程度とする。この８ｂの位置は、８ａの位置のチェーン８を通過した大きい袋体１１と８ａの位置で破袋されて出てきた小袋の両方を押さえるように、中央及び両端にチェーンを設置し、容器移動阻止板５付近を下流へ流れようとする小袋があることから、両端のチェーンに錘９を取り付け小袋の流れを押さえるようにしてある。次の図６（Ｃ）に示した８ｃの位置のチェーンは、例えば長さが１．３〜２．０ｍ程度の７１〜７５の６〜８本のチェーンで構成され、錘９を含めた全重量が例えば５．０〜８．０ｋ程度とする。この８ｃの位置は、図６（Ｂ）のチェーンと同様に大袋と小袋の両方を押さえるように、中央及び両端にチェーンを設置する。但し、中央から大袋が流れると小袋が同伴して出て行ってしまって破袋率が低下するため、図６（Ｂ）のチェーンとは逆に中央に錘９をつけ、ここ以降に極力中央から大袋を流さないようにしてあり、大袋はほぼこの図６（Ｃ）のチェーンまでで破袋される。
【００３８】
最後の図６（Ｄ）に示した８ｄの位置のチェーンは、例えば長さが１．０〜２．０ｍ程度の７６〜７８の３〜５種類のチェーンで構成され、錘９を含めた全重量が例えば１０．０〜２０．０ｋ程度とする。この８ｄの位置におけるチェーンは、移動空間１４全体に細いピッチで設置すると共に全てのチェーンに錘９を取り付け、ここ以降に袋（特に小袋）を流さないようにしてある。チェーン上部はお互いが重なり合うように取り付けてあり、また、下部チェーンは隣同士紐で結び付け、完全にはバラバラに動かないようにした。これにより、袋状のもの（特に小袋）は破袋刃４に当てて破袋し、前記したように袋体１１から移動空間１４に放出されたビン１０などの廃棄容器を下流の排出口へ流すことができるようにした。このように、図２のロータ１ａ、１ｂの軸線方向の複数ヶ所８ａ〜８ｄに設けた袋体移動制御部材を構成するチェーン８の質的な単位密度重量を異ならせることにより、大袋とその中に入っている小袋（孫袋も含む）の破袋をバランスよく行ない、袋の流れの不均一さを吸収し、破袋率に影響を及ぼさないで良好な破袋結果が得られた。なお、ここに示したチェーンの本数、配置、長さ、重さは一例であり、処理対象物、装置傾斜角度、処理量などに応じて種々変更することは自明である。
【００３９】
【発明の効果】
以上記載の如く請求項１に記載した本発明によれば、袋体移動制御部材として金属製の揺動自在のリンクまたは環状体、若しくはそれらの複合体を用い、かつ、この袋体移動制御部材をロータ軸線方向複数ヶ所に設けることにより、袋体移動制御部材を設けた位置で廃棄容器を収納した袋体が堰き止められて破袋刃による破袋が行われるから、装置の複数ヶ所で未破袋袋の堰き止めと破袋がおこなわれ、未破袋袋が排出されることが無くなると共に、装置の全ての破袋刃が使われて効率的な破袋が行われるようになる。また装置の傾斜をきつくしても、装置の複数ヶ所に袋体移動制御部材があるため未破袋袋は出口近辺に至るまでに破袋され、排出抑止効果の減少がほとんど無くなる。またこの袋体移動制御部材は、金属製の揺動自在のリンクまたは環状体、若しくはそれらの複合体で構成されているから、袋体に押された部分の金属製の揺動自在のリンクまたは環状体、若しくはそれらの複合体が動くのみであり、従来の板状の容器排出制御部材にみられた袋体による端部の押圧で全体が動き、ロータとの間に隙間ができて他の未破袋袋が排出されてしまうといったことも防止される。また、金属製の揺動自在のリンクまたは環状体、若しくはそれらの複合体の長さを調整することで、未破袋の袋は堰き止めるが、破袋されて出てきた廃棄容器の排出は抑制しないようにできるため、能力の低下をさせることなく破袋率を上げることが容易にでき、さらに金属製の揺動自在のリンクまたは環状体、若しくはそれらの複合体を取り付ける位置、本数、並びに長さを変更することにより、排出抑制効果を容易に、いかようにも調整可能となる。
【００４０】
そして請求項２に記載した本発明によれば、前記した金属製の揺動自在のリンクまたは環状体、若しくはそれらの複合体で構成した袋体移動制御部材による効果に加え、ロータに取り付けた破袋刃によって袋が容器移動阻止部材（掻き落とし板）まで持ち上げられて回転した場合でも、突起によって袋体の移動が停止され、そのためロータに設けられた破袋刃によって袋が破袋されると共に、破袋されずに容器移動阻止部材に乗るように排出側へ移動して排出されてしまうということがなくなる。
【００４１】
そして請求項３に記載した本発明によれば、袋体移動制御部材としての金属製の揺動自在のリンクまたは環状体、若しくはそれらの複合体の一部が袋体に押されても、交差した金属製の揺動自在のリンクまたは環状体、若しくはそれらの複合体によって複数の金属製の揺動自在のリンクまたは環状体、若しくはそれらの複合体がこの袋体を押し戻し、袋体の移動制御がより確実に行えるようになる。
【００４２】
そして請求項４に記載した本発明によれば、袋体により袋体移動制御部材が押されても、交差した金属製の揺動自在のリンクまたは環状体、若しくはそれらの複合体がさらに交差部で固縛されているから、複数の金属製の揺動自在のリンクまたは環状体、若しくはそれらの複合体がこの袋体を押し戻し、袋体の移動制御がより確実に行えるようになる。
【００４３】
そして請求項５に記載した本発明によれば、袋体により金属製の揺動自在のリンクまたは環状体、若しくはそれらの複合体が押されても錘によって袋体が押し戻され、また、例えばロータの入り口付近では、次々に投入される袋が押されて破袋されずに流れてゆかないよう錘を重く調整し、中間では大きな袋から出てきた小さな袋が金属製の揺動自在のリンクまたは環状体、若しくはそれらの複合体の間をすり抜けてゆかないよう金属製の揺動自在のリンクまたは環状体、若しくはそれらの複合体間隔を調整するなど、袋の入り口から出口のそれぞれの位置に応じた質的な単位密度重量を調整することで、最適な袋体移動制御を行うことができる。
【００４４】
そして請求項６に記載した本発明によれば、ロータに取り付けた破袋刃によって袋が容器移動阻止部材（掻き落とし板）まで持ち上げられて回転した場合でも、容器移動阻止部材の破袋刃で袋体が破袋され、ロータに設けられた破袋刃による破袋と共働して袋体を確実に破袋することができ、袋袋が破袋されずに掻き落とし板に乗るように排出側へ移動して排出されてしまうということがなくなる。
【図面の簡単な説明】
【図１】  本発明の実施例に係る破袋・除袋装置の正面図である。
【図２】  本発明の破袋・除袋装置における袋体移動制御部材の効果を説明するための図である。
【図３】  本発明の破袋・除袋装置における容器移動阻止部材の効果を説明するための図である。
【図４】  本発明の破袋・除袋装置における容器移動阻止部材の効果を説明するための図である。
【図５】  本発明の実施例に係る破袋・除袋装置の側面図である。
【図６】  袋体移動制御部材を構成する金属製の揺動自在のリンクまたは環状体、若しくはそれらの複合体の配列方法の具体例である。
【図７】  本発明の実施例に係る破袋・除袋装置における袋体移動制御部材を除いた主要部の構成を説明するための全体斜視図である。
【図８】  従来の破袋・除袋装置の正面図である。
【符号の説明】
１ａ、１ｂ  ロータ
２ａ、２ｂ  回転軸
３  枠体
４  破袋刃
５  容器移動阻止板
６  突起
７ａ、７ｂ  回転軸心
８  金属製の揺動自在のリンクまたは環状体、若しくはそれらの複合体（袋体移動制御部材）
９  錘
１０  ビン
１２  固縛部
１３  隙間
１４  袋体の移動空間
５１  空気ノズル
【図１】
0003716245.tif 000002
【図２】
0003716245.tif 000003
【図３】
0003716245.tif 000004
【図４】
0003716245.tif 000005
【図５】
0003716245.tif 000006
【図６】
0003716245.tif 000007
【図７】
0003716245.tif 000008
【図８】
0003716245.tif 000009